(57)【要約】【課題】安全性が高く簡便で照明も兼ね得る香炉を提供する。【解決手段】この発明は、上下端が開放され下方から上方に向かって空気を上昇させる筒状体の軸心上に香を保持する保持手段４を設け、保持された香３の下方位置に発熱体６ａを設け、該発熱体６ａの加熱により筒状体の上部より外部に芳香を放散させる香炉に関する。上記発熱体６ａが通電によって発熱する発熱体であり、発熱体６ａと香３との間に耐熱性を備え発熱によって香３及び粉塵等への着火を防止する遮蔽カバー６ｂを設けている。上記発熱体６ａと遮蔽カバー６ｂとは少なくとも１個の電球６で構成することができ、発熱体６ａが通電可能なソケット７に取り付けられ、該ソケット７に香炉本体１を略直立状態で壁面等に支持せしめる通電用の差込プラグ８を一体的に備えている。【選択図】          図１
2004283236.tif 000002
【特許請求の範囲】
【請求項１】
上下端が開放され下方から上方に向かって空気を上昇させる筒状体の軸心上に香を保持する保持手段（４）を設け、保持された香（３）の下方位置に発熱体（６ａ）を設け、該発熱体（６ａ）の加熱により筒状体の上部より外部に芳香を放散させる香炉において、発熱体（６ａ）が通電によって発熱する発熱体であり、発熱体（６ａ）と香（３）との間に耐熱性を備え発熱によって香（３）及び粉塵等への着火を防止する遮蔽カバー（６ｂ）を設けてなる発火防止用香炉。
【請求項２】
発熱体（６ａ）と遮蔽カバー（６ｂ）とを少なくとも１個の電球（６）で構成した請求項１の発火防止用香炉。
【請求項３】
筒状体を香炉本体（１）を構成する外筒と、該外筒内に収容して固定されるとともに上部側に支持される保持手段（４）に熱を集中させて供給する集熱筒（２）とで構成する請求項１又は２の発火防止用香炉。
【請求項４】
集熱筒（２）が薄肉の金属管であり、発熱体（６ａ）及び遮蔽カバー（６ｂ）が集熱筒（２）内に収容支持される請求項１，２又は３の発火防止用香炉。
【請求項５】
発熱体（６ａ）が通電可能なソケット（７）に取り付けられ、該ソケット（７）に香炉本体（１）を略直立状態で壁面等に支持せしめる通電用の差込プラグ（８）を一体的に備えた請求項１，２，３又は４の発火防止用香炉。
【請求項６】
ソケット（７）の上端に着脱可能に取り付けられるリング状の取付プレート（１１）を設け、該取付プレート（１１）に外筒（１）と集熱筒（２）の下部を着脱可能に取り付けてなる請求項１，２，３，４又は５の発火防止用香炉。
【発明の詳細な説明】
【０００１】
【発明の属する技術分野】
この発明は、主として乾香等の香の香りを発散させる取り扱いが簡単な発火防止用香炉に関する。
【０００２】
【従来の技術】
従来発火の危険のある火気を用いない香炉として下記特許文献１に示すものが公知であり、この香炉は筒状の香炉本体内の下方に揮発性の燃料を配置し、上方に上記燃料を酸化させて発熱させる酸化触媒を配置し、その酸化触媒上の香材より香りを発散させるものである。
【０００３】
【特許文献１】
実公平５−２０２２５号公報
【０００４】
【発明が解決しようとする課題】
上記香炉は直接火気を用いないので火災等の危険がなく、簡便に使用できる点で優れているが、香炉内に揮発性燃料の貯留と補給又は常時供給する必要があるほか、揮発性燃料の着火の危険等も生じ得るという欠点がある。
この発明はこれらの欠点を改良する簡易型の発火防止用香炉を提供するものである。
【０００５】
【課題を解決するための手段】
上記課題を解決するための本発明の香炉は第１に、上下端が開放され下方から上方に向かって空気を上昇させる筒状体の軸心上に香を保持する保持手段４を設け、保持された香３の下方位置に発熱体６ａを設け、該発熱体６ａの加熱により筒状体の上部より外部に芳香を放散させる香炉において、発熱体６ａが通電によって発熱する発熱体であり、発熱体６ａと香３との間に耐熱性を備え発熱によって香３及び粉塵等への着火を防止する遮蔽カバー６ｂを設けてなることを特徴としている。
【０００６】
第２に、発熱体６ａと遮蔽カバー６ｂとを少なくとも１個の電球６で構成したことを特徴としている。
【０００７】
第３に、筒状体を香炉本体１を構成する外筒と、該外筒内に収容して固定されるとともに上部側に支持される保持手段４に熱を集中させて供給する集熱筒２とで構成することを特徴としている。
【０００８】
第４に、集熱筒２が薄肉の金属管であり、発熱体６ａ及び遮蔽カバー６ｂが集熱筒２内に収容支持されることを特徴としている。
【０００９】
第５に、発熱体６ａが通電可能なソケット７に取り付けられ、該ソケット７に香炉本体１を略直立状態で壁面等に支持せしめる通電用の差込プラグ８を一体的に備えたことを特徴としている。
【００１０】
第６に、ソケット７の上端に着脱可能に取り付けられるリング状の取付プレート１１を設け、該取付プレート１１に外筒１と集熱筒２の下部を着脱可能に取り付けてなることを特徴としている。
【００１１】
【発明の実施の形態】
以下図示する発明の実施形態につき詳述すると、図１はこの発明の一実施形態を示す全体断面図で、磁気，セラミックス，耐熱ガラス，軽金属等からなる上下開放型の筒状体である卵型断面の香炉の本体１内には、同じく上下開放型の薄肉の金属，セラミックス，耐熱ガラス製等のストレート管よりなる集熱管２が略同心的に上下端に支持されている。
【００１２】
上記本体１と集熱管２の上端は共に近接した高さで同心的に重なり合っており、その中空内部には金属網又はグラスファイバー網等の耐熱材よりなり、香３を保持する篭状の保持手段４が開口部を塞ぐように着脱可能に載置又は挿入支持されている。保持手段４は香３を保持し下方より上昇する加熱空気を上方へ通気させれば足りる。
【００１３】
集熱管２には下方から例えば１００Ｖ用７Ｗ位の白熱電球６が熱源として挿入支持されており、該電球６は側面視でＬ字形の合成樹脂製のソケット７に通電及び着脱可能に取り付けられており、Ｌ字形の下部突出端面には通電用の差込プラグ８が突設されている。電球６と香３の距離は香が８５℃〜９５℃程度で加熱される距離とし、例えば１００℃を越えると乾香の場合は焦げ臭を発する場合がある。
【００１４】
電球６はソケット７の上端に形成されたボス部９にねじ込まれており、ボス部９の円柱状の外周には下向きの皿リング状の取付プレート１１が嵌合支持される。ボス部９の外周下部には長方形の突起１２が突設され、取付プレート１１側の内周の上記突起１２に対応する位置には、図３に示すように突起部分の通過を許容する凹状の切欠部１３が形成され、これを通過して下限位置まで嵌合挿入された取付プレート１１を９０°回動させることにより、取付プレート１１は上記突起１２により挿入下限で定位置でソケット７側に係止固定され、９０°戻し回動することにより抜き取ることができる。
【００１５】
取付プレート１１には、図３に示すようにその外周側に突出し側面視でＬ字形に屈曲した厚肉部よりなる本体取付部１４が形成され、該取付部１４の外端面に本体１の下端内周が接して両者がビス１６等の固定手段により取付固定され、本体１がソケット７に着脱可能に取り付けられる構造となっている。
【００１６】
また取付プレート１１の上面の上記切欠部１３に対して９０°づつずらされた位置には、円弧状スリットからなる集熱管２の取付孔１７が形成されている。
そして集熱管２の下端の同位相位置に突設形成された脚部１８（図４参照）を該取付孔１７に挿脱可能に差し込むことにより、集熱管２もソケット７側に取付固定され、結果としてソケット７，本体１，集熱管２が一体的に組み立てられる。
【００１７】
なお、本実施形態では熱源として電球６を用いたが、電球の代わりに同程度の出力のヒーターを用い、その上方の保持手段４との間に香３への過加熱や塵等への着火を防止する椀型の耐熱性遮蔽カバー（図示しない）を設け、その外周より熱気が上昇する構造にすることができる。図１の実施形態ではガラス球６ｂが遮蔽カバーを、内部のフィラメント６ａが発熱体として機能している。また発熱体として電球型ヒーターを用いることも勿論可能である。
【００１８】
上記のように構成される本発明の香炉においては、電球６の通電（点灯）によって集熱筒２内部の空気が加熱されて上昇し（又は副射熱）により保持手段４内の香３が加熱されて芳香が外部に発散される。
【００１９】
この時集熱管２は電球の熱を上方に案内するとともに外周側への熱の放散を防止し、香３に常に一定範囲の温度で安定的な加熱（８５℃〜９５℃）を行う。また集熱管２内の空気の上昇を助長するため集熱管２の下部周壁と取付プレート６上壁のいずれか一方又は両方に、通気孔や適度な隙間（図示しない）を設けることもできる。
【００２０】
またプラグ８を壁面や柱面等のコンセントに差し込むことにより、壁際に安全に香炉を保持することができ、電球を用いることにより照明として利用することも可能であり、この場合筒状体１，２の一方又は両方を透光性のある材料又は構造にすることによって照明効果を高めることができる。
【００２１】
【発明の効果】
以上のように構成される本発明の香炉によれば、燃料供給や補給等の必要がなく、発火の心配のない香炉を入手し易い材料にて簡単且つ安価に供給することができ、壁面等のコンセントに差し込むだけで設置できるので、配置も簡単で且つ安全性も高い等の利点がある。
また熱源として電球を用いることにより床照明等に兼用することができ、安全性もより高くなる。
【図面の簡単な説明】
【図１】香炉の全体断面図である。
【図２】香炉に用いる電球及びソケットの側面図である。
【図３】取付プレートの平面図である。
【図４】集熱管の正面図である。
【符号の説明】
１    本体（外筒）
２    集熱筒
３    香
４    保持手段
６    電球
６ａ  発熱体
６ｂ  遮蔽カバー
７    ソケット
８    プラグ
１１  取付プレート
【図１】
2004283236.tif 000003
【図２】
2004283236.tif 000004
【図３】
2004283236.tif 000005
【図４】
2004283236.tif 000006